(57)【要約】【課題】  画像読取装置の原稿カバーの開閉角度を複数段階に簡単に設定する。【解決手段】  複数の開閉角度に規制する規制部材を切換えるスイッチを、画像読取装置本体に設ける。【選択図】  図４
2008032986.tif 000002
【特許請求の範囲】
【請求項１】
原稿台ガラス上の原稿を読み取る、画像読取装置において、
原稿台ガラス上の原稿を押さえる原稿カバーが、原稿台ガラスに対して少なくとも２箇所の開放角度を持ち、開放角度を選択するための切替スイッチを有することを特徴とする、画像読取装置。
【請求項２】
前記原稿カバーは、前記切替スイッチを操作しないときには１箇所の開放角度まで開き、前記切替スイッチを操作したときは別の開放角度まで開くことを特徴とする、請求項１に記載の、画像読取装置。
【請求項３】
前記原稿カバーは、開放角度の少なくとも１箇所が前記原稿台ガラスの原稿載置面よりも下方に位置することを特徴とする、請求項１に記載の、画像読取装置。
【請求項４】
前記切替スイッチは、前記原稿カバーが開かれたときに操作可能となることを特徴とする、請求項１に記載の、画像読取装置。
【請求項５】
前記切替スイッチは、１個所の開放角度を維持する位置に付勢されていることを特徴とする、請求項１に記載の、画像読取装置。
【請求項６】
前記切替スイッチは、少なくとも２個所の開放角度を維持するように係止され、前記切替手段を操作することでいずれかの開放角度を選択することを特徴とする、請求項１に記載の、画像読取装置。
【発明の詳細な説明】
【技術分野】
【０００１】
本発明は、原稿台ガラス上の原稿を読み取る、画像読取装置に関する。
【背景技術】
【０００２】
従来、従来の画像読取装置に装着される原稿カバーの開放位置はほとんどが１箇所であった。しかしながら、原稿台ガラスのサイズよりも大きい原稿をセットする時、略９０度に開放された原稿カバーが邪魔になり、原稿がうまくセットできないという不具合があった。
【０００３】
そこで、原稿カバーの開放位置の角度を変更できる提案があった（特許文献１参照）。また、原稿カバーと画像読取装置を接続する回転軸の位置を２箇所設け、軸の位置を移動させることで、原稿カバー開放角度を略９０度に開放する状態と１８０度以上に開放する状態を選択できる手段を持った画像読取装置が提案されている（特許文献２参照）。
【特許文献１】特開平２−３０２１６８号公報
【特許文献２】特開２００６−１８４６９１号公報
【発明の開示】
【発明が解決しようとする課題】
【０００４】
しかしながら、原稿台カバーの回転軸の位置を移動させ開放角度を変える手段では、軸の移動の操作が使用者にわかりにくく、さらに軸の位置がどの位置に在るかも判別が難しかった。また、原稿カバーの回転軸の位置を移動させ開放角度を変える手段では、原稿カバーを略９０度よりも少し開いた位置に維持する場合に、原稿カバーの自重で更に開こうとする力が、軸受け部の開放角度規制部分に作用する。このため、軸受け部の強度を上げる必要があった。
【課題を解決するための手段】
【０００５】
上述の課題を解決するために、本願発明では、原稿台ガラス上の原稿を読み取る、画像読取装置において、原稿台ガラス上の原稿を押さえる原稿カバーが、原稿台ガラスに対して少なくとも２箇所の開放角度を持ち、開放角度を選択するための切替スイッチを有する。
【発明の効果】
【０００６】
本発明によれば、開放角度を切り替えるスイッチを設けることで使用者が簡単な操作で、原稿カバーを、通常の原稿用の略９０度と、原稿台ガラスよりも大きい原稿用の、略１８０度に、開放して固定できるようになる。これにより、通常の原稿と、大きい原稿に対応することができた。
【発明を実施するための最良の形態】
【０００７】
（第１の実施例）
図１は本実施形態に係るカラー画像読取装置の斜視図である。図１に示すように、装置本体１の上面に取り付けられた透明原稿台としての原稿台ガラス２上に原稿をセットし、コンタクトイメージセンサ３を原稿台ガラス２に平行に走査することにより、原稿に記載された画像を読み取る。
【０００８】
なお、コンタクトイメージセンサ３には、その内部には原稿照射用の光源であるＲＧＢ三色のＬＥＤ、原稿からの反射光をイメージセンサの受光素子上に結像するロッドレンズアレイ、およびイメージセンサが組込まれている。三色の光源を順次切り替えて点灯し、イメージセンサが各色ごとの原稿からの反射光を読み取ることにより、色分解読み取りをする。
【０００９】
コンタクトイメージセンサ３は、摺動性の良い材質からなるスペーサを左右端部にそれぞれ配置された状態でセンサーホルダ１０３に軸支されている。センサーホルダ１０３は、装置本体１に固定されたガイドシャフト４上を摺動するスライダ５上に固定支持される。コンタクトイメージセンサ３の左側端部は、センサーホルダ１０３上に位置決めされたバネにより、スペーサを介して原稿台ガラス２に圧接される。センサー３、センサーホルダ１０３、バネ、スライダ５など、スライダと一体化されたユニットを、以下、キャリッジ５０１と呼ぶ。また、図１に示すように、スライダ５には、走査駆動源であるモータからの動力を伝達するベルト１５が固定される。モータの正逆回転により、キャリッジ５０１は原稿台ガラス２の範囲の往復走査が可能になっている。また、センサー３の電気的入出力のためのフレキケーブル１０５は、片側をセンサー３に接続され、画像読取装置本体のコントロールボードに、反対側を接続されている。
【００１０】
またスライダ５には、走査駆動源であるモータからの動力を伝達するベルト１５が固定される。モータの正逆回転により、コンタクトイメージセンサ３は原稿台ガラス２の範囲の往復走査が可能になっている。
【００１１】
画像読取装置には、上記のほかにコントロールボードや電源からなる電装部がある。これらは、原稿台ガラスを固定支持する装置本体１の中に配置されている。
【００１２】
また、原稿台ガラス２上には、原稿をガラス上に押圧するためのカバー部材としての原稿カバー６が、ヒンジ７を介して装置本体１に開閉可能に取り付けられている。また、原稿カバー内面の原稿台ガラス２と対向する面には、シート部材８ａと弾性部材８ｂからなる原稿圧着シート８が貼り付けられている。
【００１３】
次に装置本体１に対する原稿カバー６の開閉構成について説明する。図２は装置本体１と原稿カバー６とを開閉可能に連結するヒンジ構成の説明図である。図３（ａ）は原稿カバー６を閉じた状態説明図、図３（ｂ）は原稿カバー６を略１１０°開いた状態説明図、図３（ｄ）は原稿カバー６を略１８０°開いた状態説明図、また図３（ｃ）はヒンジ７だけを略７０°開いた状態説明図である。図３に示すように切替スイッチ７０は原稿カバー６をある程度の角度まで開くことにより使用者が視認でき、操作可能となる。
【００１４】
図２に示すように、装置本体１には、後端部にヒンジ用シャフト７１と凹部１ａが同軸上に設けられており、ヒンジ７の穴部７ｃがヒンジ用シャフト７１に、ヒンジ後端の凸部７ａが凹部１ａにそれぞれ回動可能に軸支されている。片側にヒンジ用シャフト７１を用いているのは、後述するように原稿カバー６を開放時にこの部分にヒンジ７と原稿カバー６の全荷重が掛かるためである。さらに、ヒンジ７には、凸部７ｂが２箇所凸部７ａ・穴部７ｃと平行に設けてられており、原稿カバー凹部６ａがそれぞれ回動可能に軸支されている。これによって原稿カバー６は、装置本体１に対して二箇所の軸を支点にして開閉可能に取り付けられている。また、原稿カバー６には回転角度規制用の突起部１８、ヒンジ７には回転角度規制用の突起部２０がそれぞれ設けられている。
【００１５】
ここで図４に示すように切替スイッチ７０が切替スイッチ用ばね７２を介して装置本体１に取り付けられている。切替スイッチ７０は使用者が上部から押すことにより下側に押し下げられ、押さえを解放すると切替スイッチ用ばね７２により切替スイッチ７０は元の位置に戻される。
【００１６】
本などの厚手原稿をセットして原稿カバー６を閉じると、図４に示すように原稿カバー６とヒンジ７は厚手原稿の高さに応じてバランスを保った位置で姿勢が決まる。この時、ヒンジ７は厚手原稿の厚みによって回動し、厚手原稿を押さえ付けることができる。
【００１７】
通常に原稿カバー６を開くと、図４に示すようにまず原稿カバー６だけが軸支部６ａ，７ｂを回動中心として開き始める。その後原稿カバー６・ヒンジ７に設けた回動角度規制突起部１８，２０によって、原稿カバー６はヒンジ７に対して略４０°開いた位置でその回動角度を停止される。さらに開こうとすると原稿カバー６はヒンジ７に対してはそれ以上の角度には開かない。このため、前記略４０°の角度を維持したままヒンジ７はヒンジ用シャフト７１を軸にして回転し、ヒンジ７が原稿台ガラス２に対して略７０度開いた位置で、ヒンジ７の突き当て部１９が切替スイッチ７０の突き当て７０ａに当たる。この位置で原稿カバー６は開放の姿勢維持されるので、原稿カバー６カバーから手を放して原稿をセットすることができる。この状態が、ヒンジ７の開放角度が７０度に規制されているものである。
【００１８】
この状態で切り替えスイッチ７０は使用者が視認でき、操作可能となる。ヒンジ７の突き当て部１９は切替スイッチ７０の突き当て部７０ａにたいしてわずかに角度を持った面で突き当たるよう形成されており、ヒンジ７に加えられた力（図４Ｆ）は切替スイッチ７０を押し上げる方向のみに作用する。したがって、原稿台カバー６とヒンジ７の自重や不用意に大きな力がヒンジ７に作用する場合でも切替スイッチ７０が下方向に移動することない。また、原稿台カバー６とヒンジ７の開放時の全荷重を切替スイッチ７０周辺で支えるために、切替スイッチ７０は装置本体１によって支えられ、ヒンジ用シャフト７１は金属製シャフトを用いている。
【００１９】
原稿台ガラスよりも大きき原稿をセットする場合、図４に示すように切替スイッチ７０を押し下げる。突き当て部１９がさらに回動出来る隙間ができ、ヒンジ７を介して原稿台ガラス２と反対側かつ原稿台ガラス２の原稿載置面より下方に開くことができる。この状態が、ヒンジ７の開放角度が１８０度を示す。これによって原稿台ガラスよりも大きな原稿を設置可能になる。その際、切替スイッチ７０は切替スイッチ用ばね７２によってヒンジ７に沿うように押し上げられており、原稿カバーが閉じられて突き当て部１９が抜けると図４に示す状態に自ら復帰する。
【００２０】
（第２の実施例）
次に、本発明の第２の実施例を図５を用いて説明する。図５は本実施形態に係るカラー画像読取装置の構成模式図である。水平方向に移動する切替スイッチ７５、その突き当て７０ｂそしてヒンジ７設けられた突き当て部１９ｂ以外の構成については上述した第１の実施例と同じであるためその説明を省略する。
【００２１】
ここで図５に示すように切替スイッチ７５が左右方向（ＣおよびＤ方向）に移動可能に装置本体１に取り付けられている。
【００２２】
通常に原稿カバー６を開くと、切替スイッチ７５が図５に示す位置にある場合ヒンジ７はヒンジ用シャフト７１を軸にして回転する。ヒンジ７の突き当て部１９ｂが切替スイッチ７５の突き当て７０ｂに当たることで、原稿カバー６がヒンジ７で係止される位置で自立する。この状態で切り替えスイッチ７５は操作可能となる。ヒンジ７の突き当て部１９ｂは切替スイッチ７５の突き当て部７０ｂに水平な面で突き当たるよう形成されており、ヒンジ７に加えられた力は切替スイッチ７５を押し上げる方向のみに作用し、切替スイッチ７５が左右方向に移動することはない。したがって、原稿台カバー６とヒンジ７の自重により切替スイッチ７０が左右方向に移動することはなく、不用意に大きな力がヒンジ７に作用する場合でも切替スイッチ７０が下方向に移動することない。
【００２３】
原稿台ガラスよりも大きき原稿を読むために略１８０度に原稿カバー６を開く場合、図５に示すように切替スイッチ７５を右に移動させる。これにより、突き当て部１９ｂがさらに回動出来る隙間ができ、ヒンジ７の突き当て部１９ｂが切替スイッチ７５の突き当て７０ｂに当たらずにさらに原稿カバー６を略１８０度まで開くことができる。これによって原稿台ガラスよりも大きな原稿を設置可能になる。
【図面の簡単な説明】
【００２４】
【図１】本発明の実施例に係る画像読取装置の、原稿カバーを開いた、斜視図
【図２】本発明の画像読取装置の、原稿カバーとヒンジの単品図
【図３】原稿カバーの複数の状態を開示す図
【図４】本発明の第１の実施例のスイッチの説明図
【図５】本発明の第２の実施例のスイッチの説明図
【符号の説明】
【００２５】
１  装置本体
２  原稿台ガラス
３  コンタクトイメージセンサ
４  ガイドシャフト
６  原稿カバー
７  ヒンジ
７０  切換スイッチ
【図１】
2008032986.tif 000003
【図２】
2008032986.tif 000004
【図３】
2008032986.tif 000005
【図４】
2008032986.tif 000006
【図５】
2008032986.tif 000007